(57)【要約】【課題】機器の全体又は一部を持ち運ぶ際に、ユーザを煩わせることなく持ち運び状況に適した処理を実行することが可能な可搬型のオーディオビジュアル機器を提供する。【解決手段】取手センサ２４ａ、床センサ２４ｂ、及び受信状態センサ２４ｃなどの持ち運び検出手段によって、ＡＶ機器（テレビ受像機１で例示）のユーザによる持ち運びを検出する。この検出信号は、センサ情報処理部２３に送られ、センサ情報処理部２３からマイコン１６へ伝送される。検出信号を受け取ったマイコン１６は、テレビ受像機１が実行可能な処理のうち、例えば節電モードに移行するなどの所定の処理を実行する。【選択図】図１
2006186909.tif 000002
【特許請求の範囲】
【請求項１】
可搬型のオーディオビジュアル機器において、当該オーディオビジュアル機器の一部又は全部の持ち運びを検出する持ち運び検出手段と、該持ち運び検出手段で持ち運びが検出されたとき、当該オーディオビジュアル機器が実行可能な処理のうち所定の処理を実行する所定処理実行手段とを備えたことを特徴とするオーディオビジュアル機器。
【請求項２】
前記持ち運び検出手段は、持ち運びの検出を、持ち運びの開始及び／又は持ち運びの終了を検出することで行うことを特徴とする請求項１に記載のオーディオビジュアル機器。
【請求項３】
前記持ち運び検出手段は、持ち運びの検出を、持ち運びの開始及び持ち運びの終了を検出することで行い、前記所定処理実行手段は、前記持ち運び検出手段で持ち運び開始が検出されたとき、当該オーディオビジュアル機器が実行可能な処理のうち所定の処理を実行し、前記持ち運び検出手段で持ち運びの終了が検出されたとき、前記所定の処理に対する復帰処理を実行することを特徴とする請求項１に記載のオーディオビジュアル機器。
【請求項４】
前記所定の処理は、音声及び／又は映像の出力をミュートする処理、省エネルギーモードへ移行する処理、ユーザ操作を受け付けずに禁止する処理、持ち運び直前の処理を後で続行可能な状態で中断する処理、ユーザに対し警告を発する処理のうち、いずれかの処理を含むことを特徴とする請求項１乃至３のいずれか１項に記載のオーディオビジュアル機器。
【発明の詳細な説明】
【技術分野】
【０００１】
本発明は、可搬型のオーディオビジュアル機器に関する。
【背景技術】
【０００２】
オーディオビジュアル機器（以下、ＡＶ機器）の中には、その全体又は一部を持ち運び可能に構成されているものがある。このようなＡＶ機器は、持ち運んでいる間（運搬中或いは移動中ともいう）、設置時と変わらない処理がなされる。従って、通常、ＡＶ機器のユーザは自分で運搬可能な状態に設定してから持ち運びを開始することとなる。
【発明の開示】
【発明が解決しようとする課題】
【０００３】
しかしながら、ＡＶ機器の種類によっても異なるが、ユーザが持ち運びしている間、ユーザは一般的にコンテンツの視聴を行わない。移動中にコンテンツの音声だけを聞くといったことも考えられるが、いずれにせよ設置状態でユーザに必要とされる処理からは制限された処理だけがユーザにとって必要となることが多い。
【０００４】
そういった場合、持ち運びを開始する前に機器の設定を変える必要があり、ユーザにとって煩わしい作業となる。一方で、そういった設定を行わないと、例えば不必要な処理が移動中もなされ続けていることとなり、無駄な電力を浪費するなどの問題が生じ得る。
【０００５】
本発明は、上述のごとき実情に鑑みてなされたものであり、機器の全体又は一部を持ち運ぶ際に、ユーザを煩わせることなく持ち運び状況に適した処理を実行することが可能な可搬型のオーディオビジュアル機器を提供することをその目的とする。
【課題を解決するための手段】
【０００６】
本発明は、上述のごとき課題を解決するために、以下の各技術手段でそれぞれ構成される。
第１の技術手段は、可搬型のオーディオビジュアル機器において、当該オーディオビジュアル機器の一部又は全部の持ち運びを検出する持ち運び検出手段と、該持ち運び検出手段で持ち運びが検出されたとき、当該オーディオビジュアル機器が実行可能な処理のうち所定の処理を実行する所定処理実行手段とを備えたことを特徴としたものである。
【０００７】
第２の技術手段は、第１の技術手段において、前記持ち運び検出手段は、持ち運びの検出を、持ち運びの開始及び／又は持ち運びの終了を検出することで行うことを特徴としたものである。
【０００８】
第３の技術手段は、第１の技術手段において、前記持ち運び検出手段は、持ち運びの検出を、持ち運びの開始及び持ち運びの終了を検出することで行い、前記所定処理実行手段は、前記持ち運び検出手段で持ち運び開始が検出されたとき、当該オーディオビジュアル機器が実行可能な処理のうち所定の処理を実行し、前記持ち運び検出手段で持ち運びの終了が検出されたとき、前記所定の処理に対する復帰処理を実行することを特徴としたものである。
【０００９】
第４の技術手段は、第１乃至第３のいずれかの技術手段において、前記所定の処理は、音声及び／又は映像の出力をミュートする処理、省エネルギーモードへ移行する処理、ユーザ操作を受け付けずに禁止する処理、持ち運び直前の処理を後で続行可能な状態で中断する処理、ユーザに対し警告を発する処理のうち、いずれかの処理を含むことを特徴としたものである。
【発明の効果】
【００１０】
本発明によれば、可搬型のオーディオビジュアル機器の全体又は一部を持ち運ぶ際に、ユーザを煩わせることなく持ち運び状況に適した処理を実行することが可能となる。
【発明を実施するための最良の形態】
【００１１】
本発明に係るＡＶ機器は、その一部又は全体が持ち運び可能な可搬型ＡＶ機器であり、次の持ち運び検出手段と所定処理実行手段を備えるものとする。持ち運び検出手段は、ＡＶ機器の一部又は全部の持ち運びを検出する。なお、ここで持ち運びとは、検出可能な状態が前提であり当然電源が供給可能となっているときの持ち運びがそれに該当する。所定処理実行手段は、この持ち運び検出手段で持ち運びが検出されたとき、ＡＶ機器が実行可能な処理のうち所定の処理（設定処理など）を実行する。
【００１２】
以下、本発明に係るＡＶ機器を液晶ＴＶ等のテレビ受像機の一構成例を挙げて説明するが、そのテレビ受像機も単なる一例に過ぎず、また、ＡＶ機器の種類もテレビ受像機に限らず、その他の映像処理機器やポータブル音楽再生機等のオーディオ機器、さらには汎用型のＰＣ（パーソナルコンピュータ：モバイルコンピュータも含み、特に映像／音声のコンテンツを取り扱うもの）など、様々な機器に適用可能である。
【００１３】
図１は、本発明の一実施形態に係るオーディオビジュアル機器の構成を示すブロック図で、図中、１はＡＶ機器の一例としてのテレビ受像機、１０は表示部、１１は映像信号出力処理部、１２は文字信号発生部、１３は映像信号処理部、１４はメニュー画面操作部、１５はＴＶチューナ、１６はマイクロコンピュータ（以下、マイコン）、１７は電源制御部、１８は電源ユニット、１９は音声出力部、２０は音声信号処理部、２１は受信部、２２は操作部、２３はセンサ情報処理部、２４ａは取手センサ、２４ｂは床センサ、２４ｃは受信状態センサ、２５はリモートコントローラ（以下、リモコン）、２６は送信部、２７は遠隔操作部である。
【００１４】
テレビ受像機１は、その本体に、表示部１０、映像信号出力処理部１１、文字信号発生部１２、映像信号処理部１３、メニュー画面操作部１４、ＴＶチューナ１５、マイコン１６、電源制御部１７、電源ユニット１８、音声出力部１９、音声信号処理部２０、受信部２１、操作部２２、センサ情報処理部２３、取手センサ２４ａ、床センサ２４ｂ、及び受信状態センサ２４ｃを備える。リモコン２５は、テレビ受像機１の本体への遠隔操作をユーザが行うための遠隔操作部２７と、遠隔操作部２７によって入力されたユーザ指示を受信部２１へ送光する送信部２６とを備える。
【００１５】
テレビ受像機１は、主電源がＯＦＦとなっている場合、ユーザは電源ユニット１８に設けられた電源ボタンの押下によって、電源ユニット１８から各部へ電源を供給する。また、待機モードの場合、リモコン２５の遠隔操作部２７又は本体側の操作部２２でのユーザによるＯＮ／ＯＦＦ操作によって、電源ユニット１８から各部へ電源を供給／遮断する。電源ユニット１８は、ＡＣ電源及びＡＣ電源から充電可能なバッテリ又は電池によって電源を供給する。また、他のユーザ操作も遠隔操作部２７又は操作部２２でなされ、受信部２１又は操作部２２からの指示信号がマイコン１６に入力される。テレビ受像機１に対する操作は、この指示信号を契機にマイコン１６によって処理される。
【００１６】
マイコン１６は、ユーザ操作に起因するＴＶチューナ１５による選局の制御と併せて、映像信号処理部１３及び音声信号処理部２０、メニュー画面操作部１４、並びに電源制御部１７を制御する。ＴＶチューナ１５によって選局されたテレビ放送番組は、映像信号と音声信号とに分離され、それぞれ映像信号処理部１３と音声信号処理部２０に送られる。映像信号は、映像信号処理部１３で各種映像処理が施され、映像信号出力処理部１１を経て、表示部１０に映像として表示される。音声信号は、音声信号処理部２０で各種音声信号処理が施され、スピーカ等の音声出力部１９によって出力される。
【００１７】
また、メニュー画面操作部１４は、ＯＳＤ（Ｏｎ  Ｓｃｒｅｅｎ  Ｄｉｓｐｌａｙ）のメニューを、マイコン１６を経由して遠隔操作部２７又は操作部２２から操作し、文字信号発生部１２にメニューデータを送信して文字信号を発生させる。文字信号発生部１２で発生した文字信号は、映像信号処理部１３からの出力映像信号に映像信号出力処理部１１によって重畳され、文字情報として表示部１０に表示される。また、電源制御部１７は、マイコン１６からの通常モード／待機モード（省エネルギーモード）の指示に基づくなどして、電源ユニット１８を制御する。
【００１８】
取手センサ２４ａ、床センサ２４ｂ、及び受信状態センサ２４ｃなどの持ち運び検出手段は、勿論、他種のセンサ類であってもよく、単なるスイッチを利用したもの、光反射を用いたもの、磁気を用いたものなど、どのような検出原理を用いたものでもよい。従って、持ち運び検出手段は、ＡＶ機器における取手への加重或いは接触を検出するセンサ、ＡＶ機器の底面に設けられた設置検出センサ、スイッチ、さらには持ち運び時にユーザが押下するための持ち運びボタンであってもよい。また、１つのテレビ受像機１に最低１つの持ち運び検出手段が備えられていればよい。
【００１９】
そして、これらのセンサからの検出情報は、センサ情報処理部２３に送られ、センサ情報処理部２３からマイコン１６へ検出信号として伝送される。検出信号を受け取ったマイコン１６は、所定処理実行手段として機能する。すなわち、この持ち運び検出手段で持ち運びが検出されたとき（或いは検出されてから設置が再度検出されるまで）、テレビ受像機１が実行可能な処理のうち所定の処理を実行する。具体的な処理の内容については後述する。
【００２０】
本実施形態によれば、可搬型ＡＶ機器の全体又は一部を持ち運ぶ際に、ユーザを煩わせることなく持ち運び状況に適した処理を実行（適した設定に変更）することが可能となる。
【００２１】
また、本発明の他の実施形態として、持ち運び検出手段は、持ち運びの検出を、持ち運びの開始及び／又は持ち運びの終了（終了して設置された時）を検出することで行うことが好ましい。
【００２２】
また、本発明の他の実施形態として、持ち運び検出手段は、持ち運びの検出を、持ち運びの開始及び持ち運びの終了を検出することで行うことが好ましい。そして、所定処理実行手段は、持ち運び開始が検出されたとき、ＡＶ機器が実行可能な処理のうち所定の処理を実行し、持ち運びの終了が検出されたとき、その所定の処理に対する復帰処理を実行する。
【００２３】
また、上述した所定の処理は、音声及び／又は映像の出力をミュートする処理、省エネルギーモードへ移行する処理、ユーザ操作を受け付けずに禁止する処理、持ち運び直前の処理を後で続行可能な状態で中断する処理、ユーザに対し警告を発する処理のうち、いずれかの処理を含むことが好ましい。ここで、持ち運び直前の処理を後で続行可能な状態で中断する処理とは、持ち運び検出手段による持ち運び検出前の処理を後で続行可能な状態で中断する処理であり、例えばコンテンツの受信を継続させるための通信制御などの処理が挙げられる。但し、この場合、上述の復帰処理としては何も必要ない。
【００２４】
図２乃至図５は、図１のテレビ受像機の外観の一例を説明するための図で、図２は正面図、図３は背面図、図４（Ａ）は持ち運び時の側面図、図４（Ｂ）は設置時の側面図、図５はテレビ受像機への電源の供給状態を表す図である。図中、３はテレビ受像機、４は無線センタ、３０は表示部、３１は操作ボタン、３２はインジケータ、３３はスピーカ、３４は取手、３５はスタンドの軸部、３６はスタンドの接地部、３７は内蔵バッテリ、３８はＡＣアダプタ接続部、３９は嵌挿軸、３９ａは受光センサ、４０は嵌挿孔、４１はテレビ受像機３の電源コンセントである。
【００２５】
ここで例示するテレビ受像機３は、スタンドと本体とが離脱可能となっており、持ち運ぶ際にはスタンド共であっても離脱させて本体だけ持ち運んでもよい。テレビ受像機３の本体は、主として、液晶等でなる表示部３０、その上側に設けられた電源スイッチ，音量設定ボタン，チャンネル設定ボタン，メニュー表示ボタン等の操作ボタン３１、その左右に設けられたスピーカ３３、持ち運び用の取手３４、及び表示部３０の上下の角度が可変となるように取手３４とヒンジ接続された嵌挿軸３９で構成される。なお、このヒンジ部で嵌挿軸３９を回動させることで、嵌挿軸３９自体が簡易スタンドにもなる。
【００２６】
また、表示部３０の下側には、電源のＯＮ／スリープ状態／充電状態やその他の情報をＬＥＤなどで示すインジケータ３２が、表示部３０の背面側には、内蔵バッテリ３７及びＡＣアダプタ接続部３８が、それぞれ設けられている。一方、スタンドは、本体側の嵌挿軸３９を嵌挿するための嵌挿孔４０が上を開口として穿設された軸部３５と、本体が倒れないような接地面積及び接地形状を持つ接地部３６とで構成される。
【００２７】
そして、本体は、接地部３６に垂直な方向に軸部３５が設けられたスタンドに搭載可能となっており、一方で、嵌挿軸３９の先端には受光センサ３９ａが設けられており、嵌挿軸３９を嵌挿孔４０に挿入することでスタンドに本体を搭載したときと、離脱させて受光センサ３９ａで受光したときとの差によって、スタンドからの本体の離脱が検出できるよう構成されている。
【００２８】
また、取手３４などの持ち運びをする部分を持った場合に本体の離脱を検出するようにしてもよいし、離脱に関係なくユーザがその部分を持ったとき（すなわち本体或いは本体及びスタンドを移動させたとき）を検出するようにしてもよい。取手３４だけではなく、スタンドの接地部３６の接地面などにセンサを設け、床から離れた場合に、持ち運びと認識するよう構成してもよい。また、方向換えのためだけに取手３４を持つことも想定できるので、取手３４を持って、且つスタンドのセンサが床から離れた場合にのみ、持ち運びと認識するよう構成してもよい。また、センサとしては、光の反射度を検出するセンサや、揺れを検知するジャイロセンサ、振動を検知する内蔵の振動センサなど様々なセンサ及びその設置例が考えられ、単純に底面に設けたスイッチなどで代用してもよい。
【００２９】
ここで、本体とスタンドとを離脱させて持ち運ぶ場合を例に、持ち運び開始時の処理、並びに、本体をスタンドに嵌挿して運び終わった時の処理について、説明する。
【００３０】
ユーザが持ち運びを開始し、それを検出した時には、例えば、音声をミュートする処理、音声を徐々にミュートする処理、画面をミュートする処理、画面を徐々に暗くする処理、節電モードに入る処理、液晶ディスプレイ（ＬＣＤ）の場合にバックライトを消す処理などのうち、いずれかを所定の処理として実行する。また、ユーザが持ち運びを開始した時には、基本的にユーザ操作されることはないので、メニュー等を解除する処理、電源をＯＦＦにする処理、スタンバイモードに移行する処理、リモコンでＯＮ可能な省エネモードに移行する処理、充電モードに入る処理（放電モードではないこと）や、逆に、電源コードを付けずに持ち運ぶことが多いと想定されるのでバッテリモードに切り替える処理も、所定の処理の一つとして挙げられる。
【００３１】
また、持ち運びにより、アクセスポイントからの遠近が変わるので、アンテナを切り替える処理も、所定の処理の一つとして挙げられる。なお、アンテナを切り替える際には、受信感度をバー表示するようにしてもよい。また、ＴＶの場合、視聴するユーザが切り替わったことも考えられるので、電子番組表（ＥＰＧ）のデータを更新してユーザのチャンネル選択に備えるようにしてもよい。さらに、内蔵のハードディスク、ＤＶＤ（Ｄｉｇｉｔａｌ  Ｖｅｒｓａｔｉｌｅ  Ｄｉｓｃ）にこれまで見ていた番組の続きを録画スタートして、後で追いかけ再生して見る処理や、受信状態に応じ、映像及び／又は音声の信号に対するノイズリダクションをＯＮする処理、ＡＶコードや電源が挿入されている場合は、警告音や振動などでユーザに注意を促す処理なども、所定の処理の一つとして挙げられる。
【００３２】
逆に、ユーザが運び終わり、それを検出した時には、音声ミュート解除する処理、音声を徐々に戻して運ぶ前の値とする処理、音声を徐々に戻していって途中のＶｏｌｕｍｅ値でユーザの音量操作があった場合にそこでストップとする処理、画面ミュートを解除する処理、本体が重くて一時的に設置した場合でも直ぐに点かないように画面ミュートを徐々に解除する（徐々に明るくする）処理、節電モードを解除する処理、外→内、内→外と持ち運んだ際に前設定では見難い場合があるのでメニューの画質調整を立ち上げて設置場所に応じた調整が直ぐにできるようにする処理、アンテナを戻す処理、運ぶ前が電源ＯＮであった場合に電源をＯＮする処理、持ち運び前のノイズリダクション設定に戻す処理、チャンネルの微調整を行う処理などが、所定の処理の一つ、若しくは復帰処理の一つとして挙げられる。
【００３３】
ここで、スタンドが床に着いたとき、運び終わったと認識したり、スタンドが床に着いて取手から手が放れたときに、持ち運び終了と認識したり、内蔵の振動センサの振動が止まった時に持ち運び終了と認識したりすればよい。
【００３４】
さらに、上述した様々な設定をメニュー等の操作によって、実行するかどうかをユーザが設定できるようにすることが好ましい。例えば、音声及び映像のミュートをユーザが設定したとすると、或る部屋にてＴＶ視聴中に別の部屋へＴＶを運んでから見ようと思ったときに、取手を持って移動した時には、音声及び映像がミュートされる。また、明るい屋外でＴＶを視聴していて、薄暗い部屋へ持ち帰って見ようとしたとき、映像調整が極端に違うため、取手を離して設置した時に映像調整画面が立ち上がって調整が可能となる。しかし、このような設定は、或るユーザにとっては不必要な機能である可能性もあるため、メニューにて設定のＯＮ／ＯＦＦを可能にしておくことが好ましい。
【００３５】
以上、本実施形態によれば、可搬型のオーディオビジュアル機器の全体又は一部を持ち運ぶ際に、ユーザを煩わせることなく持ち運び状況に適した処理を実行することが可能となる。例えば、移動時には受信状態が悪くなることがあり、その際の耳障りなノイズなどを軽減できる。また、移動時に映像を見ない場合（見る場合は別）、映像をミュートすることで、バッテリ時間を延ばすことができエネルギー節約となる。さらに、図５のようにテレビ受像機３を電源コード４１からだけではなく、ワイヤレスセンタ４からの電源で賄えるようなシステム構成は、今後増えてくると思われる。従って、このような構成に本発明を適用することで、薄型軽量の持ち運びコードレスＴＶなどで持ち運んで視聴する際の持ち運び時の省エネルギーが期待できバッテリ時間を延ばせる。
【図面の簡単な説明】
【００３６】
【図１】本発明の一実施形態に係るオーディオビジュアル機器の構成を示すブロック図である。
【図２】図１のテレビ受像機の外観の一例を説明するための正面図である。
【図３】図１のテレビ受像機の外観の一例を説明するための背面図である。
【図４】図１のテレビ受像機の外観の一例を持ち運び時と設置時とで比較説明するための側面図である。
【図５】図５はテレビ受像機への電源の供給状態を表す図である。
【符号の説明】
【００３７】
１…ＡＶ機器（テレビ受像機）、３…テレビ受像機、４…無線センタ、１０…表示部、１１…映像信号出力処理部、１２…文字信号発生部、１３…映像信号処理部、１４…メニュー画面操作部、１５…ＴＶチューナ、１６…マイコン、１７…電源制御部、１８…電源ユニット、１９…音声出力部、２０…音声信号処理部、２１…受信部、２２…操作部、２３…センサ情報処理部、２４ａ…取手センサ、２４ｂ…床センサ、２４ｃ…受信状態センサ、２５…リモコン、２６…送信部、２７…遠隔操作部、３０…表示部、３１…操作ボタン、３２…インジケータ、３３…スピーカ、３４…取手、３５…スタンドの軸部、３６…スタンドの接地部、３７…内蔵バッテリ、３８…ＡＣアダプタ接続部、３９…嵌挿軸、３９ａ…受光センサ、４０…嵌挿孔、４１…テレビ受像機の電源コンセント。
【図１】
2006186909.tif 000003
【図２】
2006186909.tif 000004
【図３】
2006186909.tif 000005
【図４】
2006186909.tif 000006
【図５】
2006186909.tif 000007